(57)【要約】 【課題】  所定の重量を有し、当該設置場所から移送するためのやぐらを組むことができないような箇所に設置された重量物を、作業コストを嵩ませることなく、容易かつ迅速に取り外したり、又は取り付けることができる重量物移送装置を提供する。【解決手段】  重量物を吊り下げて移送しうる重量物移送装置であって、設置面上に立設される垂直方向バーと、上記垂直方向バーに上下方向に移動可能に固定されると共に上記垂直方向バーを中心として水平方向に沿って回動しうる水平方向バーとを備え、上記水平方向バーは、重量物を吊り下げうる重量物吊下部を有する。【選択図】  図１
2014051358.tif 000002
【特許請求の範囲】
【請求項１】
重量物を吊り下げて移送しうる重量物移送装置であって、設置面上に立設される垂直方向バーと、上記垂直方向バーに上下方向に移動可能に固定されると共に上記垂直方向バーを中心として水平方向に沿って回動しうる水平方向バーとを備え、上記水平方向バーは、重量物を吊り下げうる重量物吊下部を有することを特徴とする重量物移送装置
【請求項２】
上記水平方向バーは、水平方向に移動しうるように固定部を介して垂直方向バーに固定され、上記固定部は、垂直方向に移動しうるように垂直方向バーに固定されていることを特徴とする請求項１記載の重量物移送装置。
【請求項３】
上記重量物吊下部は、上記水平方向バーに沿って移動可能に設けられたレバーホイスト部と、上記レバーホイスト部を水平方向バーに沿って移動させうる移動部とを備えていることを特徴とする請求項２記載の重量物移送装置。
【請求項４】
上記固定部は、固着部を介して垂直方向バー及び水平方向バーを移動可能に固定するように構成されていることを特徴とする請求項３記載の重量物移送装置。
【請求項５】
上記垂直方向バーには、上記重量物吊下部に重量物が吊下げられた場合の水平方向バーの下方への偏移を防止する水平方向バー吊り上げ部を有することを特徴とする請求項４記載の重量物移送装置。
【請求項６】
上記水平方向バー吊り上げ部は、垂直方向バーの上端部に設けられたプーリーと、上記プーリーに巻装されると共に水平方向バーの端部に係合するワイヤーとを有することを特徴とする請求項４記載の重量物移送装置。
【請求項７】
上記垂直方向バーは、細径の上方部と、上記上方部に接合された太径の下方部とからなり、下方部の下端部には下方部本体が接合固定されるスタンド部が設けられていることを特徴とする請求項１記載の重量物移送部。
【請求項８】
上記スタンド部は、上記下方部本体の下端部を保持する保持部と、上記保持部とユニバーサルジョイント部を介して接合された設置部とを備え、上記保持部は、固着部を有していることを特徴とする請求項７記載の重量物移送部。
【請求項９】
上記重量物は、食品製造プラントに多数密集した状態でバルブマニホールド部に配設されたサニタリーバルブ装置であることを特徴とする請求項１記載の重量物移送装置。
【請求項１０】
設置面上に設置される脚部材と、上記垂直方向バーに設けられ、設置面上に設置される脚部材との間に張設されるチェーン部材を係止しうる係止部とを備え、上記脚部材と上記係止部との間に上記チェーン部材を張設することにより設置面上に略垂直に立設配置することを特徴とする請求項１記載の重量物移送装置。
【請求項１１】
上記レバーホイスト部にはサニタリーバルブ装置吊下網が取り付けられ、上記サニタリーバルブ装置吊下網にサニタリーバルブ装置が収納されることによりレバーホイスト部によりサニタリーバルブ装置を吊下げることを特徴とする請求項３記載の重量物移送装置。
【請求項１２】
上記サニタリーバルブ装置吊下網は、細長円筒状に形成され、下端部は開放されて孔部を有し、上記孔部から内部にサニタリーバルブ装置を収納しうる本体部と、上記本体部の上端部に設けられた吊下用紐部と、上記下端部に配設され、上記サニタリーバルブ装置の段差部に係止させうる係止用紐部とを有することを特徴とする請求項１１記載の重量物移送装置。
【請求項１３】
上記サニタリーバルブ装置吊下網は細紐が互いに交差して編まれ、細紐が交差して編まれて形成された多数の交差部には、夫々、外方へ突出する結び目が形成されていることを特徴とする請求項１２記載の重量物移送装置。
【発明の詳細な説明】
【技術分野】
【０００１】
本発明は、重量物移送装置に係り、特に、流体製品の製造プラントに設備されるバルブ装置等の重量物を移送することができる重量物移送装置に関する。
関する。
【背景技術】
【０００２】
一般に、流体製品製造プラントにおいては、図８及び図９に示すように、内部を流体製品が流通する多数の配管が、互いに立体的に接合交差する部位においては、夫々の管路内を流通する流体製品の流通を制御するために多数のサニタリーバルブ装置６０が夫々の管路６１に配設され、全体としてサニタリーバルブ装置６０が密集して配置されたバルブマニホールド部６２を形成している。
【０００３】
このようなサニタリーバルブ装置６０は、バルブ装置本体６３と、上記バルブ装置本体６３の上部に装着されたエアモータ６４とにより構成され、相当の重量を有している。
【０００４】
このように構成されたバルブマニホールド部６２において上記サニタリーバルブ装置６０を修理する場合や、部品を交換する場合には、サニタリーバルブ装置６０をバルブマニホールド部６２から取り外す必要がある。
【０００５】
バルブマニホールド部６２からサニタリーバルブ装置６０を取り外したり、又は、取り付ける場合には、従来は、個別のサニタリーバルブ装置６０を人手を介して取り外し又は取り付け作業を行うか、又は、汎用の昇降機を使用して取り外し、取り付け作業を行う場合もあった。
【０００６】
しかしながら、人手を介してサニタリーバルブ装置６０の取り外し又は取り付け作業を行った場合には、サニタリーバルブ装置６０が相当の重量を有することから危険性を伴うと共に、作業者が肉体的に疲労してしまい作業効率が良好ではない。
【０００７】
従って、図８及び図９に示すように、バルブマニホールド部６２において、鉄骨のフレーム材６５により、上記バルブマニホールド部６２を平面方向及び高さ方向において取り囲むようにして直方体状のやぐら６６を組み、上部のフレーム材６５ａ、６５ａの間に梁部６７を掛け渡し、上記梁部６７に、梁部６７に沿って移動ができる移動部６８を有するチェーンブロック６９を吊り下げ、上記チェーンブロック６９により対象とするサニタリーバルブ装置６０を吊り下げ、その状態で水平方向に移動させて取り外し、取り付け作業を行う場合もあった。
【０００８】
しかしながら、上記のバルブマニホールド部６２は屋内に配置されていることから、上記鉄骨によりやぐら６６を組む場合であっても、現場の状況により高さ方向において十分な空間を確保できず、また、床面においてもバルブマニホールド部６２の周囲に空間的な余裕がなく、やぐら６６を組むことが不可能な場合もある。
【０００９】
また、やぐら６６を組むことができる場合であっても、上記サニタリーバルブ装置６０の取り外し又は取り付けの際には、その都度、鉄骨のフレーム材６５によりやぐら６６を組むことは、非常に煩雑であると共にやぐら６６を組む作業に時間を要し、迅速なサニタリーバルブ装置６０の取り外し、交換作業が行なえず、さらに、設置コストも嵩む、という不具合もあった。
【００１０】
また、汎用の昇降装置を使用することもできるが、対象となるバルブマニホールド部６２に設置するために適宜、配管を撤去又は移動させる等の調整作業を行い、当該昇降装置の設置場所の確保を行い、かつ作業終了後は撤去する必要があり、設置作業及び撤去作業が煩雑であった。
【発明の開示】
【発明が解決しようとする課題】
【００１１】
そこで本発明の課題は、所定の重量を有し、当該設置場所から移送するためのやぐらを組むことができないような箇所に設置された重量物を、作業コストを嵩ませることなく、容易かつ迅速に取り外したり、又は取り付けることができる重量物移送装置を提供することにある。
【課題を解決するための手段】
【００１２】
上記課題達成のため、請求項１記載の発明にあっては、重量物を吊り下げて移送しうる重量物移送装置であって、設置面上に立設される垂直方向バーと、上記垂直方向バーに上下方向に移動可能に固定されると共に上記垂直方向バーを中心として水平方向に沿って回動しうる水平方向バーとを備え、上記水平方向バーは、重量物を吊り下げうる重量物吊下部を有することを特徴とする。
【００１３】
従って、請求項１記載の発明にあっては、例えば、屋外又は屋内の床面等にの設置面に上記垂直方向バーを立設し、上記水平方向バーに設けられた重量物吊下部により設置されている重量物を吊り下げ、水平方向バーを介して回転させることにより重量物を所定の装着箇所から取り外し、又は取付けを行うことができる。
【００１４】
請求項２記載の発明にあっては、上記水平方向バーは、水平方向に移動しうるように固定部を介して垂直方向バーに固定され、上記固定部は、垂直方向に移動しうるように垂直方向バーに固定されていることを特徴とする。
【００１５】
従って、請求項２記載の発明にあっては、水平方向バーは垂直方向バーに沿って上下動することができると共に、垂直方向バーに対して左右方向へ移動することができるように構成されている。
【００１６】
請求項３記載の発明にあっては、上記重量物吊下部は、上記水平方向バーに沿って移動可能に設けられたレバーホイスト部と、上記レバーホイスト部を水平方向バーに沿って移動させうる移動部とを備えていることを特徴とする。
請求項３記載の発明にあっては、重量物を上記レバーホイスト部に吊下げ、上記移動部により適宜レバーホイスト部を移動させて重量物を搬送することができる。
【００１７】
請求項４記載の発明にあっては、上記固定部は、固着部を介して垂直方向バー及び水平方向バーを移動可能に固定するように構成されていることを特徴とする。
請求項４記載の発明にあっては、上記垂直方向バー及び水平方向バーは上記固着部により上記固定部に移動可能に固定することができる。
【００１８】
請求項５記載の発明にあっては、上記垂直方向バーには、上記重量物吊下部に重量物が吊下げられた場合の水平方向バーの下方への偏移を防止する水平方向バー吊り上げ部を有することを特徴とする。
請求項５記載の発明にあっては、重量物を吊下げた際の上記水平方向バーの重量物の重量による下方への偏移を防止することができる。
【００１９】
請求項６記載の発明にあっては、上記水平方向バー吊り上げ部は、垂直方向バーの上端部に設けられたプーリーと、上記プーリーに巻装されると共に水平方向バーの端部に係合するワイヤーとを有することを特徴とする。
請求項６記載の発明にあっては、上記プーリーを回転作動させることにより上記ワイヤーを巻き上げ、水平方向バーの端部を持ち上げることができる。
【００２０】
請求項７記載の発明にあっては、上記垂直方向バーは、細径の上方部と、上記上方部に接合された太径の下方部とからなり、下方部の下端部には下方部本体が接合固定されるスタンド部が設けられていることを特徴とする。
請求項８記載の発明にあっては、上記スタンド部は、上記下方部本体の下端部を保持する保持部と、上記保持部とユニバーサルジョイント部を介して接合された設置部とを備え、上記保持部は、固着部を有していることを特徴とする。
【００２１】
請求項９記載の発明にあっては、上記重量物は、食品製造プラントに多数密集した状態でバルブマニホールド部に配設されたサニタリーバルブ装置であることを特徴とする。
請求項１０記載の発明にあっては、設置面上に設置される脚部材と、上記垂直方向バーに設けられ、設置面上に設置される脚部材との間に張設されるチェーン部材を係止しうる係止部とを備え、上記脚部材と上記係止部との間に上記チェーン部材を張設することにより設置面上に略垂直に立設配置することを特徴とする。
【００２２】
請求項１１記載の発明にあっては、上記レバーホイスト部にはサニタリーバルブ装置吊下網が取り付けられ、上記サニタリーバルブ装置吊下網にサニタリーバルブ装置が収納されることによりレバーホイスト部によりサニタリーバルブ装置を吊下げることを特徴とする。
請求項１２記載の発明にあっては、上記サニタリーバルブ装置吊下網は、細長円筒状に形成され、下端部は開放されて孔部を有し、上記孔部から内部にサニタリーバルブ装置を収納しうる本体部と、上記本体部の上端部に設けられた吊下用紐部と、上記下端部に配設され、上記サニタリーバルブ装置の段差部に係止させうる係止用紐部とを有することを特徴とする。
【００２３】
請求項１３記載の発明にあっては、上記サニタリーバルブ装置吊下網は細紐が互いに交差して編まれ、細紐が交差して編まれて形成された多数の交差部には、夫々、外方へ突出する結び目が形成されていることを特徴とする。
【発明の効果】
【００２４】
請求項１〜１３記載の発明に係る重量物移送装置は、重量物を吊り下げて移送しうる重量物移送装置であって、設置面上に立設される垂直方向バーと、上記垂直方向バーに上下方向に移動可能に固定されると共に上記垂直方向バーを中心として水平方向に沿って回動しうる水平方向バーとを備え、上記水平方向バーは、重量物を吊り下げうる重量物吊下部を有することから、屋外又は屋内の床面の設置面上に上記垂直方向バーを立設し、上記水平方向バーに設けられた重量物吊下部に重量物を吊り下げ、水平方向バーを回転させることにより重量物を所定箇所に移送することができる。
その結果、所定の重量を有し、当該設置場所から移送するためのやぐらを組むことができないような箇所に設置された重量物を、作業コストを嵩ませることなく、容易かつ迅速に取り外したり、又は取り付けることができる。
【００２５】
請求項２記載の発明にあっては、水平方向バーは垂直方向バーに沿って上下動することができると共に、垂直方向バーに対して左右方向へ移動することができるように構成されていることから、請求項２記載の発明にあっては、移送すべき重量物の位置に対して、水平方向バーを水平方向及び垂直方向の双方において適宜移動させて最適な位置において重量物吊下部により吊下げることができる。
【００２６】
請求項３記載の発明にあっては、重量物を上記レバーホイスト部に吊下げ、上記移動部により適宜レバーホイスト部を移動させて重量物を搬送することができることから、重量物をレバーホイスト部により容易に吊下げることができる。
【００２７】
請求項４記載の発明にあっては、上記垂直方向バー及び水平方向バーは上記固着部により上記固定部に移動可能に固定することができるように構成されていることから、垂直方向バー及び水平方向バーは容易に固定することができる。
【００２８】
請求項５記載の発明にあっては、重量物を吊下げた際の上記水平方向バーの下方への偏移を防止することができるように構成されていることから、水平方向バーが釣り下げた重量物による撓みを有効に防止することができる。
請求項６記載の発明にあっては、上記プーリーを回転作動させることにより上記ワイヤーを巻き上げ、水平方向バーの端部を持ち上げることができるように構成されていることから、上記水平方向バーが釣り下げた重量物の重量により撓んだ場合であっても、上記プーリーを回転させることによって容易に水平方向バーの撓みを修正することができる。
【００２９】
請求項７及び請求項８記載の発明にあっては、上記垂直方向バーの下端部には下方部本体が接合固定されるスタンド部が設けられていると共に、上記スタンド部は、上記下方部本体の下端部を保持する保持部と、上記保持部とユニバーサルジョイント部を介して接合された設置部とを備えていることから、床面又は地面に設置しやすい重量物移送装置を提供することができる。
この場合、図８及び図９に示すように、いわゆるバルブマニホールド部６２が形成されている場所は、床面が排水への配慮から傾斜している場合が多いが、本発明に係る重量物移送装置にあっては、設置部がユニバーサルジョイントを介して保持部に接合されていることから、床面の傾斜に対応させてユニバーサルジョイント部を適宜操作することにより保持部２９、下方部２７及び上方部２６を垂直に設置することができ、床面の傾斜の如何に関わらず、重量物の移送を容易に行うことが可能となる。
【００３０】
請求項９記載の発明にあっては、特に、食品製造プラントのバルブマニホールド部に多数密集して配設されたサニタリーバルブ装置の修理時、交換時等に、取り外したサニタリーバルブ装置を搬送することができるように構成されており、従来のように、人手を介してサニタリーバルブ装置の取り外し又は取り付け作業を行うものではないため、相当の重量を有するサニタリーバルブ装置を人手を介して取り外し、取り付けを行うことによる危険性を排除することができる共に、作業者が疲労してしまうことがなく、良好な作業効率を確保することができる。
【００３１】
また、上記サニタリーバルブ装置の取り外し又は取り付けの際には、その都度、鉄骨の枠体によりやぐらを組むことは非常に煩雑であると共に、やぐらを組む作業に時間を要し、迅速なサニタリーバルブ装置の取り外し、交換作業が行なえず、さらに、設置コストも嵩む、という不具合を回避することができる。
【００３２】
さらに、従来のように汎用の昇降装置を使用した場合の、対象となるバルブマニホールド部に設置するための設置作業及び撤去作業の煩雑さを除去することができる。
その結果、食品製造プラント内のバルブマニホールド部に設置されたサニタリーバルブ装置の修理、交換の必要が生じた場合には、バルブマニホールド部に近接して本発明に係る重量物移送装置を容易に設置し、多数密集して配設されたサニタリーバルブ装置をバルブマニホールド部から迅速かつ容易に取り外したり、新たなサニタリーバルブ装置を容易かつ迅速に取り付けることができる。
【００３３】
請求項１０記載の発明にあっては、設置面上に設置される脚部材と、上記垂直方向バーに設けられ、設置面に設置される脚部材との間に張設されるチェーン部材を係止しうる係止部とを備え、上記脚部材と上記係止部との間に上記チェーン部材を張設することにより設置面上に略垂直に立設配置できるように構成されていることから、非使用時には床面又は地面等の設置面上に立設させて保管しておくことができる。
【００３４】
請求項１１記載の発明にあっては、上記レバーホイスト部にはサニタリーバルブ装置吊下網が取り付けられ、上記サニタリーバルブ装置吊下網にサニタリーバルブ装置が収納されることによりレバーホイスト部によりサニタリーバルブ装置を吊下げることができるように構成されていることから、サニタリーバルブ装置の上部を構成するエアモータ部の上端部には突部又はフック部等は形成されておらず、レバーホイスト部を構成するチェーンブロックに係合させる手段はないが、サニタリーバルブ装置吊下網を使用してサニタリーバルブ装置全体を包み込むことができ、レバーホイスト部によりサニタリーバルブ装置をそのままの状態で垂直に保持して移送することができる。
【００３５】
請求項１２記載の発明にあっては、上記サニタリーバルブ装置吊下網は、細長円筒状に形成され、下端部は開放されて孔部を有し、上記孔部から内部にサニタリーバルブ装置を収納しうる本体部と、上記本体部の上端部に設けられた吊下用紐部と、上記下端部に配設され、上記サニタリーバルブ装置の段差部に係止させうる係止用紐部とを有することから、サニタリーバルブ装置の形状を利用して、簡易にサニタリーバルブ装置吊下網によりサニタリーバルブ装置を吊下げ、搬送することができる。
【００３６】
請求項１３記載の発明にあっては、上記サニタリーバルブ装置吊下網は細紐が互いに交差して編まれ、細紐が交差して編まれて形成された多数の交差部には、夫々、外方へ突出する結び目が形成されていることから、
従って、請求項１３記載の発明にあっては、レバーホイストにより移送中に中空でサニタリーバルブが揺れ、プラント内の他の構造物等と衝突するような事態があっても、上記多数の交差部に形成された外方へ突出する結び目がクッションとなることから衝撃を吸収し、サニタリーバルブを保護することができる。
【図面の簡単な説明】
【００３７】
【図１】本発明に係る重量物移送装置の一実施の形態を示す側面図である。
【図２】本発明に係る重量物移送装置に使用される水平方向バーと垂直方向バーの固定部の一実施の形態を示す斜視図である。
【図３】本発明に係る重量物移送装置に使用される水平方向バーに装着される吊下部を示す斜視図である。
【図４】本発明に係る重量物移送装置に使用されるスタンド部の一実施の形態を示す断面図である。
【図５】本発明に係る重量物移送装置の一実施の形態を示し、重量物移送装置をパイプハンガーを利用して固定して床面上に立設した状態を部分的に示す斜視図である。
【図６】本発明に係る重量物移送装置に使用される構成部材の一実施の形態であって、サニタリーバルブ装置吊下網を示す斜視図である。
【図７】本発明に係る重量物移送装置に使用される構成部材の一実施の形態であって、サニタリーバルブ装置吊下網によりサニタリーバルブ装置を被覆して吊下する状態を示す斜視図である。
【図８】食品プラント工場等において、バルブマニホールド部にやぐらを組み、チェーンブロックを利用して修理又は交換のために対象となるバルブを搬出する状態を示す斜視図である。
【図９】食品プラント工場等において、バルブマニホールド部にやぐらを組み、チェーンブロックを利用して修理又は交換のために対象となるバルブを搬出する状態を示す側面図である。
【発明を実施するための最良の形態】
【００３８】
以下、添付図面に示す実施の形態に基づき、本発明に係る重量物移送装置を、食品製造プラント内のバルブマニホールド部に設置されたサニタリーバルブ装置の取り外し又は取付けに適用する場合を例に詳細に説明する。
【００３９】
図１に示すように、本実施の形態に係る重量物移送装置１０は、設置面１１上に設置されて立設される垂直方向バー１２と、上記垂直方向バー１２に上下方向に移動可能に固定されると共に、上記垂直方向バー１２を中心として水平方向に沿って回動しうる水平方向バー１３とを備えている。
【００４０】
上記水平方向バー１３は、汎用の細長円筒状に形成された４０Ａ鋼管により形成されている。また、垂直方向バー１２は、細長円筒状に形成された上方部２６を形成する汎用の５０Ａ鋼管及び、下方部２７を形成する汎用の６５Ａ鋼管が接合部２３を介して接合固定されることにより形成されている。
【００４１】
上記水平方向バー１３及び垂直方向バー１２は、互いに水平方向及び垂直方向に移動しうるように固定部１４を介して、相互に直角に交差する状態で固定されている。
【００４２】
図２に示すように、上記固定部１４は、垂直方向バー固定管部１５と、垂直方向バー固定管部１５の径方向外方において、直交するように配置された水平方向バー固定管部１６と、全体略直方体状に形成され、上記垂直方向バー固定管部１５及び水平方向バー固定管部１６を相互に固着する固定本体部１７とを備えている。
【００４３】
水平方向バー固定管部１６は、水平方向バー１３を挿通しうる内径に形成された短い管部により形成されると共に、上記垂直方向バー固定管部１５は、垂直方向バー１２を挿通しうる内径に形成された同一の長さ寸法の管部により形成され、水平方向バー固定管部１６及び垂直方向バー固定管部１５の両端部には軸方向に沿ったスリット部１８が周方向に沿って多数形成され、上記スリット部１６には固定部を構成するクランプ部１９ａ、１９ｂが配設されている。
【００４４】
上記水平方向バー１３は、重量物を吊り下げうる重量物吊下部２０を有している。重量吊下部２０は、本実施の形態にあっては、上記水平方向バー１３に沿って移動可能に設けられたレバーホイスト部２１と、上記レバーホイスト部２１を水平方向バー１３に沿って移動させうる移動部２２とを備えている。
【００４５】
上記レバーホイスト部２１は、チェーンブロック部２１ａと、レバー部２１ｂとからなり、チェーンブロック部２１ａの鍵部２１Ｃにサニタリーバルブ装置を適宜吊下しうるように構成されている。
また、図３に示すように、移動部２２は、本実施の形態にあっては、滑車により構成され、水平方向バー１３上に回転動可能に配置されるプーリー２２ａと、上記プーリー２２ａが上端部において軸着される一対の側面細長板状のパネル体２２ｂ、２２ｂと、上記パネル体２２ｂ、２２ｂの下端部に設けられ、レバーホイスト部２１が吊下される吊下棒部２２ｄと、上記水平方向バー１３に近接して下方に配置されるブレーキ板部２２ｅとを有している。
【００４６】
垂直方向バー１２は、５０Ａ鋼管からなる上方部２６及び、６５Ａ鋼管からなる下方部２７が接合部１４を介して接合固定されることにより形成され、上端部には、上記レバーホイスト部２１にサニタリーバルブ装置が吊下げられた場合に水平方向バー１３の下方への偏移を防止する水平方向バー吊り上げ部３４が設けられている。
【００４７】
上記水平方向バー吊り上げ部３４は、垂直方向バー１２の上端部に設けられた側面コ字状のプーリー支持板部２４と、プーリー支持板２４に軸着されたプーリー２２ａと、上記プーリー２２ａに巻装されると共に水平方向バー１３の一端部に係合するワイヤー２５と、上記プーリー２５を操作者が手動で回転動させうるンドル４３とを有している。
上記ワイヤー２５の先端部にはフック部材４７が設けられ、フック部材４７を介して水平方向バー１３の先端部に設けられたワイヤー固定板材４８に設けられたアイボルト４９に係止固定されている。
【００４８】
上記垂直方向バー１２は、細径の上方部２６と、上記上方部２６に接合された太径の下方部２７とからなり、下方部２７の下端部には下方部本体２７ａが接合固定されるスタンド部２８が設けられている。
【００４９】
図１及び図４に示すように、上記スタンド部２８は、上記下方部本体２７ａの下端部を保持する保持部２９と、上記保持部２９とユニバーサルジョイント部３０を介して接合された設置部４４とを備え、上記保持部２９は、固着部３１を有している。
【００５０】
上記保持部２９は、短円筒状に形成され、下方部本体２７ａを包持できるように下方部本体２７ａよりも大径に形成されており、保持部２９の上端部には固着部３１を構成するクランプ部３１ａが配設されている。
【００５１】
図４に示すように、上記保持部２９の下端部はテーパ状に形成され、軸部３２が突設され、軸部３２を介してスタンド部本体２８に接合されている。上記スタンド部２８は、細径部４５ａと上記細径部４５ａの下端に形成された円盤部４５ｂとを有し、円盤部４５ｂには短円筒状のゴムブーツ４５ｃが装着されている。
上記ユニバーサルジョイント部３０は上記細径部２８ａ内に設けられ、軸部３２に対してスタンド部２８が、適宜、所定の角度を持って固定的に配置されうるように構成されている。
【００５２】
垂直方向バー１２の下方部２７の上端部には、側面コ字状のワイヤー係止部３３が周方向に沿って所定間隔に側方へ複数突設された円筒状支持部３５が設けられている。
【００５３】
この円筒状支持部３５は、本実施の形態に係る重量物移送装置１０を、所定の床面上において起立させたい場合には、図５に示すように、汎用品であるパイプハンガー４６を利用して固定することもできる。
即ち、パイプハンガー４６の一端部に設けられた締結部５２を下方部２７に締結固定すると共に他端部に設けられた締結部（図示せず）を工場内に設備されている配管に締結することにより固定することにより床面に立設させることもできる。また、例えば、チェーンブロック２１ａのフック部２１ｃをワイヤー係止部３３に係合させると共に他端部の係合部を上記配管に接合することにより固定して床面に立設させることもできる。
【００５４】
なお、図６及び図７に示すように、サニタリーバルブ装置５０を本実施の形態に係る重量物移送装置１０の重量物吊下部２０に吊下する場合には、レバーホイスト部２１に取り付けられたサニタリーバルブ装置吊下網３６を使用してもよい。
【００５５】
即ち、図６及び図７に示すように、本実施の形態にあっては、上記レバーホイスト部２１にはサニタリーバルブ装置吊下網３６が取り付けられ、上記サニタリーバルブ装置吊下網３６にサニタリーバルブ装置５０が収納されることによりレバーホイスト部２１によりサニタリーバルブ装置５０を吊下げることができるように構成されている。
なお、図６及び図７においては、サニタリーバルブ装置５０を構成するエアモーター部５０を吊下げる場合を示している。
【００５６】
上記サニタリーバルブ装置吊下網３６は、細長円筒状に形成され、下端部は開放されて孔部３７を有し、上記孔部３７から内部にサニタリーバルブ装置５０を収納しうる本体部３８と、上記本体部の上端部に設けられた吊下用紐部３９と、上記下端部に配設され、上記サニタリーバルブ装置５０の段差部５１に係止させうる係止用紐部４０とを有している。
【００５７】
本実施の形態にあっては、上記サニタリーバルブ装置吊下網３６はナイロン製の細紐４１が互いに十字状に交差して編まれ、細紐４１が交差して編まれて形成された多数の交差部には、夫々、外方へ突出する結び目４２が形成されている。
【００５８】
以下、本実施の形態に係る重量物移送装置１０の作用について説明する。
本実施の形態に係る重量物移送装置１０を使用して、例えば、流体製品製造プラントにおける図８及び図９に示すバルブマニホールド部６２のサニタリーバルブ装置６０を、修理、交換等の事情により取り外して適所に移送する場合には、まず、図１に示すように、当該バルブマニホールド部６２の近傍の床面１１上に重量物移送装置１０を設置する。
【００５９】
この場合、垂直方向バー１２の下端部に設けられているスタンド部２８のゴムブーツ４５Ｃを有する円盤部４５ｂを床面１１に設置させて、操作者が垂直方向バー１２を保持しつつ床面１１上に立設する。
【００６０】
その後、水平方向バー１３を回転させることにより重量物移送装置１０そのものを回転動させ、目的とするサニタリーバルブ装置６０の上方へ水平方向バー１３を移動させる。その後、重量物吊下部２０を、操作者が手でパネル部２２ｂを押してプーリー２２ａにより水平方向バー１１上を適宜移動させて、目標とするサニタリーバルブ装置の上方へ配置する。
【００６１】
その後、重量物吊下部２０を構成するチェーンブロック部２１ａに吊下されたサニタリーバルブ装置吊下網３６を、下端部の孔部３７を開放して、例えば、サニタリーバルブ装置６０を構成するエアモータ５０の頭部から被せて本体部３８内部に収納させ、係止用紐部４０をサニタリーバルブ装置５０の下端部に形成された段差部５１において係止させ、係止用紐部４０を締結することにより固定する。
【００６２】
これによりサニタリーバルブ装置６０を構成するエアモータ５０はサニタリーバルブ装置吊下網３６により包持され、チェーンブロック部２１ａを介して水平方向バー１３により吊下される。
この場合、操作者は、レバー部２１ｂを操作することにより、適宜の高さで吊下できるようにチェーンブロック部２１ａを固定する。その後、操作者は、上記水平方向バー１１をサニタリーバルブ装置６０又はエアモータ５０を吊下した状態で、重量物吊下部２０を水平方向バー１３に沿って移動させるか、又は、水平方向バー１３を垂直方向バー１２を回転中心として適宜の方向へ水平回転させ、適宜の場所へ移動させる。
【００６３】
その後、上記サニタリーバルブ装置吊下網３６の係止用紐部４０の締結を解除して、サニタリーバルブ装置６０又はエアモータ５０を降ろし、サニタリーバルブ装置５０に対する、修理等の適宜の作業を行うことができる。
【００６４】
本実施の形態に係る重量物移送装置１０にあっては、水平方向バー１１に装着されている移動部２２は、本実施の形態にあっては、滑車により構成され、水平方向バー１３上に回転動可能に配置されるプーリー２２ａと、上記プーリー２２ａが上端部において軸着される一対の側面細長板状のパネル体２２ｂ、２２ｂと、上記パネル体２２ｂ、２２ｂの下端部に設けられ、レバーホイスト部２１が吊下される吊下棒部２２ｄと、上記水平方向バー１３に近接して下方に配置されるブレーキ板部２２ｅとを有していることから、重量物吊下部２０にサニタリーバルブ装置５０等を吊下させる際に、操作者が重量物吊下部２０を水平方向バー１１を移動させ、重量物吊下部２０がプーリー２２ａの回転により移動しすぎたような場合には、重量吊下部２０をプーリー２２ａの回転方向に傾斜させることにより上記ブレーキ板部２２ｅを水平方向バー１１の下面部に押圧することにより制動をかけ、移動を制御することができる。
【００６５】
また、本実施の形態に係る重量物移送装置１０にあっては、上記水平方向バー１３は、汎用の細長円筒状に形成された４０Ａ鋼管により形成されていると共に、垂直方向バー１２は、汎用の５０Ａ鋼管及び下方部２７を形成する６５Ａ鋼管が接合部２３を介して接合固定されることにより形成されていることから、適宜、製造プラントの現場に存在する汎用の鋼管を使用して水平方向バー１１及び垂直方向バー１２を形成することができ、適宜の現場において所定の鋼管を使用し、容易に重量物移送装置１０を作成することができる。
【００６６】
また、本実施の形態にあっては、垂直方向バー１２には、上端部には、上記レバーホイスト部２１にサニタリーバルブ装置６０等が吊下げられた場合に水平方向バー１３の下方への偏移を防止する水平方向バー吊り上げ部３４が設けられ、上記水平方向バー吊り上げ部３４は、垂直方向バー１２の上端部に設けられた側面コ字状のプーリー支持板部２４と、プーリー支持板２４に軸着されたプーリー２５と、上記プーリー２５を操作者が手動で回転動させうるンドル４３と、上記プーリー２５に巻装されると共に水平方向バー１３の一端部に係合するワイヤー２５とを有していることから、水平方向バー１１の重量物吊下部２０にサニタリーバルブ装置６０等が吊下され、所定の荷重が水平方向バー１１に作用し、その結果、水平方向バー１１が下方へ撓んだ場合であっても、操作者が上記ハンドル４３を回転操作することにより、プーリー２５を回転させてワイヤー２５を巻き上げ、水平方向バー１１の端部を上方へ引き上げることにより水平方向バー１１の撓みを修正し、サニタリーバルブ装置６０等の移送を行うことができる。
【００６７】
従って、本実施の形態に係る重量物移送装置１０にあっては、屋外又は屋内の床面１１の設置面上に上記垂直方向バー１２を立設し、上記水平方向バー１３に設けられた重量物吊下部２０にサニタリーバルブ装置５０等を吊り下げ、水平方向バー１３に沿って重量物吊下部２０を移動させるか、又は垂直方向バー１２を回転中心として水平方向バー１３を水平方向に回転させることによりサニタリーバルブ装置６０等を所定箇所に移送することができる。
その結果、当該設置場所から移送するためのやぐらを組むことができないような箇所に設置されたサニタリーバルブ装置６０等を、作業コストを嵩ませることなく、容易かつ迅速に取り外したり、又は取り付けることができる。
【産業上の利用可能性】
【００６８】
本発明は、広く重量物移送装置に適用することができることから、産業上の利用可能性を有している。
【符号の説明】
【００６９】
１０  重量物移送装置
１１  接地面
１２  垂直方向バー
１２ａ  上方部
１２ｂ  下方部
１３  水平方向バー
１４  固定部
１５  垂直方向バー固定管部
１６  水平方向バー固定管部
１７  固定本体部
１８  スリット部
１９  クランプ部
２０  重量物吊下部
２１  レバーホイスト部
２１ａ  チェーンブロック部
２１ｂ  レバー部
２１Ｃ  鍵部
２２  移動部
２２ａ  プーリー
２２ｂ  パネル体
２２ｄ  吊下棒部
２２ｅ  ブレーキ板部
２３  接合部  
２４  プーリー支持板部
２５  ワイヤー
２６  上方部
２７  下方部
２８  スタンド部
２９  保持部
３０  ユニバーサルジョイント部
３１  固着部
３１ａ  クランプ部
３２  軸部
３３  ワイヤー係止部  
３４  水平方向バー吊下げ部
３５  円筒状支持部
３６  サニタリーバルブ装置吊下網
３７  孔部  
３８  本体部
３９  吊下用紐部
４０  係止用紐部
４１  細紐
４２  結び目
４３  ハンドル
４４  設置部
４５  スタンド部本体
４５ａ  細径部
４５ｂ  円盤部
４５Ｃ  ゴムブーツ
４６  パイプハンガー
４７  フック部材
４８  ワイヤー固定板材
４９  アイボルト
５０  サニタリーバルブ装置
５１  段差部
５２  締結部
６０  サニタリーバルブ装置
６１  管路
６２  バルブマニホールド部
６３  バルブ装置本体
６４  エアモータ
６５  フレーム材
６６  やぐら
６７  梁部
６８  移動部
６９  チェーンブロック
【図１】
2014051358.tif 000003
【図２】
2014051358.tif 000004
【図３】
2014051358.tif 000005
【図４】
2014051358.tif 000006
【図５】
2014051358.tif 000007
【図６】
2014051358.tif 000008
【図７】
2014051358.tif 000009
【図８】
2014051358.tif 000010
【図９】
2014051358.tif 000011